(57)【特許請求の範囲】
【請求項１】
電源から電力の供給を受け、接触するユーザの身体に電位を付与する導電部と、
前記導電部の外縁部を全周に渡り覆い前記外縁部に接触する物との電気的接続を絶縁する絶縁部と
を備える電位治療器の導電マット。
【請求項２】
前記導電部を覆う着脱可能なカバー
を備え、
前記カバーのうち、前記導電部の上面を覆う部分が導電体であり、
前記カバーのうち、前記導電部の前記外縁部を覆う部分が絶縁体であり、
前記カバーのうち、前記導電部の前記外縁部を覆う部分が前記絶縁部を構成する
請求項１に記載の電位治療器の導電マット。
【請求項３】
前記絶縁部は、前記導電部の底面を覆い前記底面に接触する物との電気的接続を絶縁する
請求項１又は２に記載の電位治療器の導電マット。
【請求項４】
前記絶縁部の幅が、前記導電部の長手方向の長さより長い
請求項１乃至３のいずれか１項に記載の電位治療器の導電マット。
【請求項５】
前記電源から前記導電部へ電力を供給する電力ケーブルと、
前記電力ケーブルに着脱可能なカバーと
を備える請求項１乃至４のいずれか１項に記載の電位治療器の導電マット。
【請求項６】
電源から電力の供給を受け接触するユーザの身体に電位を付与する電位治療器用の導電マットを覆う着脱可能なカバーであって、
前記導電マットの上面を覆う部分が導電体であり、
前記導電マットの外縁部を覆う部分が絶縁体である
電位治療器の導電マット用のカバー。
【請求項７】
前記導電マットの底面を覆う部分が絶縁体である
請求項６に記載の電位治療器の導電マット用のカバー。
【発明の詳細な説明】
【技術分野】
【０００１】
本発明は電位治療器に関する。
【背景技術】
【０００２】
ユーザの身体を周辺環境より高電位にすることでユーザの身体の状態を改善する電位治療器が知られている。一般的な電位治療器は、絶縁シート上のユーザの身体の一部に接触される導電マットを備え、導電マットによりユーザの身体に周辺環境より高い電位の直流又は交流の電圧を印加する。日本では、厚生労働省により、頭痛、肩こり、不眠症、慢性便秘の緩和が電位治療器の効能として認定されている。電位治療器に関する技術を開示している文献として、例えば特許文献１がある。
【先行技術文献】
【特許文献】
【０００３】
【特許文献１】特開平１−５８２６６号公報
【発明の概要】
【発明が解決しようとする課題】
【０００４】
電位治療器は愛玩動物が利用しても、人間と同様の効能が得られると推定される。そのため、愛玩動物に対し電位治療器を用いた治療を行っている動物病院等がある。それらの動物病院等においては、愛玩動物を抱いた状態の飼い主等が電位治療器の導電マットの上に座り、愛玩動物と共に飼い主も電位治療を受ける形で愛玩動物に対する電位治療が行われている。
【０００５】
電位治療には数時間単位の時間を要するため、上記のように飼い主が愛玩動物を抱いて電位治療を受けることで愛玩動物に電位治療を受けさせる場合、飼い主が忙しい時に愛玩動物が電位治療を受けることができない。そこで、絶縁シートの上に愛玩動物用のケージを置き、ケージの床面の上に導電マットを敷いて、ケージの中に愛玩動物を入れることで、飼い主等が手を煩わされることなく、愛玩動物に電位治療を施すことが考えられる。
【０００６】
ただし、天井が開放されたタイプのケージに導電マットを敷いた場合、愛玩動物がケージを乗り越えて外に出てしまうことがある。そして、ケージが金属等の導電体である場合、外に出た愛玩動物がケージに触れたときに、愛玩動物が感電する危険性がある。
【０００７】
図１１は、部屋の床Ｆの上に絶縁シートＸを敷き、絶縁シートＸの上に天井が開放されたタイプのケージＹを置き、ケージＹの床の上に導電マット９２を敷いた状態を示した図である。なお、床Ｆはアースとなりうるものとする。導電マット９２は電位治療器本体９１に電力ケーブル９３を介して接続されている。
【０００８】
図１２は、ケージＹの中に愛玩動物Ｐが座っている状態を示した図である。図１２の状態においては、愛玩動物Ｐは導電マット９２から電圧を付与されるが、床Ｆに接触していないため、感電することはない。
【０００９】
図１３は、愛玩動物ＰがケージＹを飛び越えて外に出てしまい、その後、絶縁シートＸの外に後脚を置いた状態で、前脚をケージＹに掛けた状態を示した図である。図１３の状態においては、ケージＹは導電マット９２と通電していないので、愛玩動物Ｐが感電することはない。
【００１０】
図１４は、図１３と同様に、愛玩動物ＰがケージＹを飛び越えて外に出てしまい、その後、絶縁シートＸの外に後脚を置いた状態で、前脚をケージＹに掛けた状態を示した図である。ただし、図１４においては、導電マット９２の外縁部がケージＹに接触している。そのため、愛玩動物ＰはケージＹを介して導電マット９２から電圧を付与され、アースとなりうる床Ｆに後脚が接触しているため、感電するおそれがある。
【００１１】
上記の事情に鑑み、本発明は、愛玩動物等のユーザが感電する危険なく電位治療を受けられるようにする手段を提供する。
【課題を解決するための手段】
【００１２】
本発明は、電源から電力の供給を受け、接触するユーザの身体に電位を付与する導電部と、前記導電部の外縁部を全周に渡り覆い前記外縁部に接触する物との電気的接続を絶縁する絶縁部とを備える電位治療器の導電マットを第１の態様として提案する。
【００１３】
第１の態様にかかる導電マットによれば、導電マットをケージの床に敷いて用いる場合、導電マットとケージが接触しても通電しないため、ケージに触れた愛玩動物が感電するおそれがない。
【００１４】
第１の態様にかかる導電マットにおいて、前記導電部を覆う着脱可能なカバーを備え、前記カバーのうち、前記導電部の上面を覆う部分が導電体であり、前記カバーのうち、前記導電部の前記外縁部を覆う部分が絶縁体であり、前記カバーのうち、前記導電部の前記外縁部を覆う部分が前記絶縁部を構成する、という構成が第２の態様として採用されてもよい。
【００１５】
第２の態様にかかる導電マットによれば、愛玩動物が導電マットを汚した場合、導電部からカバーを取り外して洗うことができる。また、第２の態様にかかる導電マットによれば、愛玩動物が導電マットを噛んだり引っ掻いたりして破損した場合、カバーを交換することができる。
【００１６】
第１又は第２の態様にかかる導電マットにおいて、前記絶縁部は、前記導電部の底面を覆い前記底面に接触する物との電気的接続を絶縁する、という構成が第３の態様として採用されてもよい。
【００１７】
第３の態様にかかる導電マットによれば、アースとなりうる部屋の床等の上に直接敷いても、ユーザがその上で電位治療を受けることができる。
【００１８】
第１乃至第３のいずれかの態様にかかる導電マットにおいて、前記絶縁部の幅が、前記導電部の長手方向の長さより長い、という構成が第４の態様として採用されてもよい。
【００１９】
第４の態様にかかる導電マットによれば、ユーザが、導電部と、アースとなりうる部屋の床等とに同時に触れてしまう危険性が低いため、ユーザが感電しにくい。
【００２０】
第１乃至第４のいずれかの態様にかかる導電マットにおいて、前記電源から前記導電部へ電力を供給する電力ケーブルと、前記電力ケーブルに着脱可能なカバーとを備える、という構成が第５の態様として採用されてもよい。
【００２１】
第５の態様にかかる導電マットによれば、愛玩動物が電力ケーブルを噛む等により破損させても、電力ケーブルのカバーを交換することができる。
【００２２】
また、本発明は、電源から電力の供給を受け接触するユーザの身体に電位を付与する電位治療器用の導電マットを覆うカバーであって、前記導電マットの上面を覆う部分が導電体であり、前記導電マットの外縁部を覆う部分が絶縁体である電位治療器の導電マット用のカバーを第６の態様として提案する。
【００２３】
第６の態様にかかるカバーによれば、通常の導電マットを覆うことで、導電マットの外縁部がケージに接触してもケージへの通電が防止され、ケージに触れた愛玩動物が感電するおそれがない。
【００２４】
第６の態様にかかるカバーにおいて、前記導電マットの底面を覆う部分が絶縁体である、という構成が第７の態様として採用されてもよい。
【００２５】
第７の態様にかかるカバーによれば、通常の導電マットを覆うことで、アースとなりうる部屋の床等の上に導電マットを直接敷いても、ユーザがその上で電位治療を受けることができる。
【発明の効果】
【００２６】
本発明によれば、愛玩動物等のユーザが感電する危険なく電位治療を受けられる。
【図面の簡単な説明】
【００２７】
【図１】一実施形態にかかる導電マットがケージの床に敷かれて使用される状態を示した図。
【図２】一実施形態にかかる導電マットを示した図。
【図３】一実施形態にかかる導電マットのカバーの上面を示した図。
【図４】一実施形態にかかる導電マットのカバーの底面を示した図。
【図５】一実施形態にかかる導電マットのカバーの断面を模式的に示した図。
【図６】一実施形態にかかる導電マットがケージに接触してもケージに接触した愛玩動物が感電しないことを説明するための図。
【図７】一変形例にかかる導電マットのカバーの断面を模式的に示した図。
【図８】一変形例にかかる導電マットのカバーの断面を模式的に示した図。
【図９】一変形例にかかる導電マットのカバーを平面視した図。
【図１０】一変形例にかかる導電マットがケージを用いなくても愛玩動物の感電を防止できることを説明するための図。
【図１１】従来技術にかかる導電マットがケージの床に敷かれて使用される状態を示した図。
【図１２】従来技術にかかる導電マットの敷かれたケージの中に愛玩動物が座っている状態を示した図。
【図１３】従来技術にかかる導電マットの敷かれたケージの外にいる愛玩動物が前脚をケージに掛けた状態を示した図。
【図１４】従来技術にかかる導電マットの敷かれたケージに導電マットが接触した状態で、ケージの外にいる愛玩動物が前脚をケージに掛けた状態を示した図。
【発明を実施するための形態】
【００２８】
［実施形態］
以下に本発明の第１実施形態にかかる導電マット１を説明する。図１は導電マット１の本体（１１，１２）がケージＹの床に敷かれて使用される状態を示した図である。図１に示される絶縁シートＸ、ケージＹ及び電位治療器本体９１は、図１１に示される従来技術にかかる絶縁シートＸ、ケージＹ及び電位治療器本体９１と同じものである。すなわち、床Ｆの上に敷かれた絶縁シートＸの上にケージＹ（金属製）が置かれている。そして、ケージＹの床の上に導電マット１の本体（１１，１２）が敷かれている。
【００２９】
導電マット１の本体（１１，１２）は、電力ケーブル１３により電位治療器本体９１と接続されている。電力ケーブル１３は、絶縁体被膜で覆われた金属線を複数本、束ねたものを、さらに絶縁体被膜で覆ったものである。電力ケーブル１３のうち、導電マット１の本体（１１，１２）に接続される端部から電位治療器本体９１側に向かう所定の長さの領域は、カバー１４で覆われている。カバー１４は電力ケーブル１３に着脱可能であり、例えば、凸凹状の波形を持たせて成形され、屈曲性に優れるコルゲートチューブである。カバー１４は、ケージＹの中で電位治療を受ける愛玩動物が電力ケーブル１３を噛んでも電力ケーブル１３を破損しにくくする役割を果たす。すなわち、愛玩動物が電力ケーブル１３を噛もうとすると、その周りを覆っているカバー１４越しに電力ケーブル１３を噛むことになり、電力ケーブル１３が破損する前にカバー１４が破損する。飼い主はカバー１４が破損すると、そのカバー１４を新しいものに交換することで、電力ケーブル１３の破損を防止できる。
【００３０】
導電マット１の本体は、後述する導電マット本体１１をカバー１２で覆ったものである。導電マット１は、導電マット本体１１、カバー１２、電力ケーブル１３及びカバー１４により構成される。
【００３１】
図２は、導電マット本体１１を示した図である。なお、既述ように、導電マット本体１１には電力ケーブル１３が接続されており、電力ケーブル１３の周りはカバー１４で覆われている。
【００３２】
導電マット本体１１は、従来技術にかかる導電マットと同じものである。すなわち、導電マット本体１１は全体が導電体で構成され、電力ケーブル１３を介して電位治療器本体９１から供給される電力により、導電マット本体１１に触れる物に対して電圧を付与する役割を果たす。
【００３３】
図３は、カバー１２の上面を示した図であり、図４は、カバー１２の底面を示した図である。カバー１２の形状は平面視した場合、やや細長い矩形である。カバー１２は２枚のシート状部材が重ね合わされた状態で４辺のうち３辺が縫製等により連結されて、袋状に構成されたものである。図３及び図４における左側の辺は開いており、他の３つの辺は閉じられている。なお、カバー１２の閉じられている３辺の連結の方法は縫製に限られず、例えば一体成形により連結されていてもよい。
【００３４】
カバー１２の４辺のうち、開いている左側の辺は、導電マット本体１１をカバー１２に出し入れするための出入口となる。図４に示されるように、カバー１２には、導電マット本体１１がカバー１２の中に挿入された状態で出入口を塞ぐために、蓋体１２３が設けられている。蓋体１２３には、雌雄のある面ファスナーの雄面１２４が取り付けられている。また、カバー１２の底面のうち、図４に示す状態の蓋体１２３がカバー１２の底面に向かい折り返された時に雄面１２４に接する領域には、雌雄のある面ファスナーの雌面１２５が取り付けられている。雄面１２４と雌面１２５が結合することで、導電マット本体１１を内側に収容した状態のカバー１２の蓋体１２３が意図せず開いてカバー１２から導電マット本体１１が脱落等する不都合が回避される。
【００３５】
図３及び図４において、破線の矩形で示される領域Ａ１及びＡ３は、導電マット本体１１を収容する領域を示している。カバー１２の上面（図３参照）のうち、導電マット本体１１が収容される中央部の領域Ａ１は導電体のシートで構成されている。一方、カバー１２の上面のうち、外縁部の領域Ａ２は絶縁体のシートで構成されている。カバー１２の底面（図４参照）は、導電マット本体１１が収容される中央部の領域Ａ３と、外縁部の領域Ａ４とが共に絶縁体のシートで構成されている。
【００３６】
図５は、カバー１２を図３に示す縦の破線で切断した切断面を矢印Ｂの方向に見た断面を模式的に示した図である。カバー１２は導電体のシート１２１と、絶縁体のシート１２２で袋状に構成される。袋状のカバー１２の内側の空間Ｈに導電マット本体１１が収容される。
【００３７】
図６は、上記のように構成されるカバー１２により覆われた導電マット本体１１がケージＹに接触しても、ケージＹに接触した愛玩動物Ｐが感電しないことを説明するための図である。図６のように、カバー１２に覆われた導電マット本体１１の外縁部がケージＹに接触した状態で、後脚が床Ｆ（アース）に接触した状態の愛玩動物Ｐが前脚をケージＹに掛けても、ケージＹは、カバー１２の絶縁体のシート１２２により導電マット本体１１に対し絶縁されているため、愛玩動物Ｐが感電することはない。
【００３８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００３９】
（１）上述の実施形態にかかるカバー１２は、底面の全体が絶縁体のシートで構成される。これに代えて、カバー１２の底面が、上面と同様に、外縁部が絶縁体のシートで構成され、中央部が導電体のシートで構成されてもよい。図７は、そのような変形例にかかるカバー１２の断面を模式的に示した図である。図７のカバー１２は、空間Ｈに収容される導電マット本体１１の上面及び底面の中央部を覆う導電体のシート１２１と、空間Ｈに収容される導電マット本体１１の外縁部を覆う絶縁体のシート１２２により構成される。
【００４０】
この変形例にかかるカバー１２には裏表の区別がないため、裏表を気にせず用いることができる。
【００４１】
（２）上述の実施形態にかかる導電マット１は、導電マット本体１１と、導電マット本体１１を覆うカバー１２を備える。これに代えて、導電体と、導電体の外縁部を覆うように配置された絶縁体とで構成されたマットが採用されてもよい。図８は、そのような変形例にかかるマット２１の断面を模式的に示した図である。マット２１は、導電体のシート２１１と、シート２１１の外縁部と裏面を覆うように配置された絶縁体のシート２１２が、例えば一体成形されたものである。なお、マット２１の成形の方法は一体成形に限られず、例えばシート２１１とシート２１２が個別に成形された後、接着や熱溶着等により連結されてもよい。
【００４２】
この変形例において、絶縁体のシート２１２（請求の範囲に記載の絶縁部の一例）の幅が、導電体のシート２１１（請求の範囲に記載の導電部の一例）の長手方向の長さより長くなるように構成されてもよい。図９はそのような構成のマット２１を平面視した図である。図９に示すように、シート２１１の長手方向の長さＷ１よりも、シート２１１の周囲を囲むシート２１２の領域の幅Ｗ２は大きい（Ｗ２＞Ｗ１）。
【００４３】
マット２１を使用する愛玩動物Ｐの体長は、通常、シート２１１の長手方向の長さより短い。従って、シート２１１の周りを、シート２１１の長手方向の長さ（Ｗ１）よりも広い幅（Ｗ２）のシート２１２で囲むと、愛玩動物Ｐがシート２１１と床Ｆ（アース）とを同時に触れることがなくなる。例えば、図１０に例示のように、愛玩動物Ｐの後脚がシート２１１に触れた状態で、愛玩動物Ｐの前脚は床Ｆまで届かない。従って、マット２１を床Ｆに敷けば、ケージＹによって愛玩動物Ｐの移動範囲を制限しなくても、愛玩動物Ｐがマット２１により感電することはない。
【００４４】
（３）上述の実施形態にかかる導電マット１のユーザは愛玩動物Ｐであるものとしたが、導電マット１を、例えば幼児等の人間が用いてもよい。
【符号の説明】
【００４５】
１…導電マット、１１…導電マット本体、１２…カバー、１３…電力ケーブル、１４…カバー、２１…マット、９１…電位治療器本体、９２…導電マット、９３…電力ケーブル、１２１…シート、１２２…シート、１２３…蓋体、１２４…雄面、１２５…雌面、２１１…シート、２１２…シート。
【要約】
【課題】愛玩動物等のユーザが感電する危険なく電位治療を受けられるようにする。
【解決手段】本発明は、電位治療器の本体から電力の供給を受けて、接触するユーザに電圧を付与する導電マットを覆うカバー１２を提供する。カバー１２の上面のうち、導電マットを覆う中央部の領域Ａ１は導電体のシートで構成されている。一方、領域Ａ１の周囲を囲む領域Ａ２は絶縁体のシートで構成されている。従って、カバー１２に収容される導電マットの外縁部は、領域Ａ２を構成する絶縁体のシートで覆われる。従って、カバー１２で覆われた状態の導電マットが金属製のケージの中に敷かれた場合、その導電マットの外縁部がケージに接触しても、カバー１２により絶縁されるため、ケージに電圧が付与されることはない。従って、例えば愛玩動物がケージに触れても感電することはない。
【選択図】図３【図１】
0006720437.tif 000002
【図２】
0006720437.tif 000003
【図３】
0006720437.tif 000004
【図４】
0006720437.tif 000005
【図５】
0006720437.tif 000006
【図６】
0006720437.tif 000007
【図７】
0006720437.tif 000008
【図８】
0006720437.tif 000009
【図９】
0006720437.tif 000010
【図１０】
0006720437.tif 000011
【図１１】
0006720437.tif 000012
【図１２】
0006720437.tif 000013
【図１３】
0006720437.tif 000014
【図１４】
0006720437.tif 000015